(57)【要約】      （修正有）【課題】患者識別媒体（診察券）が持つ患者識別情報および患者撮影画像を印刷するための患者識別シール印刷装置を提供する。【解決手段】操作パネル１ａ１とカメラ１ａ２を内蔵した制御部１ａと、カードリーダ１ｃと、シールプリンタ２により構成される患者識別シール印刷装置で、患者が入院してきた際に診察券を読み取ると同時に、患者の顔写真も撮影して登録する。以後は識別シールが必要になった時に診察券をスキャンすることで識別シールをプリントすることができる。【選択図】図２
0003195006.tif 000002
【実用新案登録請求の範囲】
【請求項１】
患者識別番号を含む患者識別情報を記憶する患者識別媒体を患者識別媒体読み取り手段により読み取り、患者識別番号に関連付けて記憶し、患者識別番号により読み出した患者識別情報をシール媒体に印刷可能な印刷手段を持つ患者識別シール印刷装置
【請求項２】
患者撮影画像を取得する撮影手段を持ち、前記患者識別媒体読み取り手段により得た患者識別情報とともに患者撮影画像を記憶し、患者識別番号により患者識別情報と患者撮影画像を読み出し、シール媒体に印刷可能なことを特徴とする請求項１に記載の患者識別シール印刷装置
【考案の詳細な説明】
【技術分野】
【０００１】  本考案は、患者識別媒体（診察券）が持つ患者識別情報および患者撮影画像を印刷した患者識別シールの印刷装置に関するものである。
【背景技術】
【０００２】  病院等において、入院患者に宛がう点滴薬剤や各種ボトルなどに患者氏名等を手書きしていた。  また、患者取り違え防止のために証明写真撮影ＢＯＸを設置してカルテなどに写真を添付している病院もある。また、手術時の患者取り違え防止のために患者の腕等に識別情報を付記したリストバンドを巻いている病院もある。
【考案の概要】
【考案が解決しようとする課題】
【０００３】  看護士が点滴薬剤や各種ボトルなどに、テープに名前等を手書きして貼り付けるのは、多忙な業務の中では時間的負担であり、勘違いによるミスも生じやすい。  証明写真撮影ＢＯＸを病院内に導入するのは病院にとって経済的、および設置スペース的に負担である。  識別情報を付したリストバンドは、パソコンとコピー機などにより複数の識別ラベルとセットになったものをあらかじめ作成用意しておく必要があり、不足したり、余ったりすることがある。
【課題を解決するための手段】
【０００４】  本考案は、各種操作を行う操作パネルと患者撮影用カメラを内蔵した制御部と、患者識別媒体（診察券）を読み取るカードリーダと、識別シールをプリントするシールプリンタにより構成される患者識別シール印刷装置で、ナースステーションなどに置き、患者が入院してきた際に患者識別媒体（診察券）を読み取ると同時に、患者の顔写真も撮影して登録する。  以後は識別シールが必要になった時に患者識別媒体（診察券）をスキャンするというワンアクションで識別シールをプリントすることができる。  又、識別シールには各種のデザインのものがプリントでき、診察券番号およびそのバーコード、氏名、性別、生年月日などの文字識別情報、患者識別写真、病棟名、病院名などの所属情報を必要に応じて組み合わせたものをプリントできる。  点滴薬剤や各種ボトルなどに貼る写真付識別シール、カルテなどに貼る写真シール、手術時に患者の腕にガーゼを巻きその上に巻きつける識別情報付リストシールなどを作成することができることにより、課題を解決している。
【考案の効果】
【０００５】  識別シールに記載される識別情報は患者識別媒体（診察券）から読み取ったもので書き間違いが生じることがなく、装置は卓上型の小型のもので場所をとらず、パソコン程度の価格で実現でき、設置スペース的、経済的負担が少なく、識別シールは必要な時にワンアクションですぐ出力され、あらかじめ用意しておく必要もなく、無駄も生じない。
【図面の簡単な説明】
【０００６】
【図１】本考案の患者識別シール印刷装置の一実施例を示す外観図である。
【図２】本装置のブロック構成図である。
【図３】本考案による識別シールの一例（写真付ＩＤシール）である。
【図４】本考案による識別シールの一例（写真シール）である。
【図５】本考案による識別シールの一例（ＩＤシール）である。
【図６】本考案による識別シールの一例（リストシール）である。
【考案を実施するための形態】
【０００７】  病院で使用される患者識別媒体は診察券であり、磁気カードやＩＣカードなどが広く使われている。患者識別媒体読み取り手段はカードリーダであり、患者識別情報をシール媒体に印刷可能な印刷手段はシールプリンタである。本装置はナースステーションなどに置かれ、入院してきた患者の診察券が看護師によりカードリーダで読み取りが行われると患者識別情報が患者識別番号（診察券番号）に関連付けて記憶される。またこの時に患者の顔写真も撮影され患者撮影画像が一緒に記憶される。次に識別シールが必要になった時、看護師が診察券をカードリーダで読むとその患者識別番号に関連付けて記憶されている患者識別情報と患者撮影画像が読み出され、識別シールがシールプリンタからプリント出力される。
【実施例】
【０００８】  以下、添付図面に従って一実施例を説明する。１は患者識別シール印刷装置の本体で１ａの制御部、１ｂのインターフェース部、１ｃのカードリーダより構成される。２はシールプリンタで、３は電源部（ＡＣアダプタ）である。【０００９】  １ｃのカードリーダより患者識別媒体（診察券）が読まれると、その患者識別情報は１ｂのインターフェース部を経由して１ａの制御部に送られる。１ａの制御部は患者識別情報に含まれる患者識別番号（診察券番号）を調べ、未登録の番号であれば、１ａ制御部内の１ａ２撮像部（カメラ）により患者を撮影し、その患者撮影画像と患者識別情報を患者識別番号に関連付けて記憶するとともに、その情報により生成される各種の識別シール印刷データを作成、登録する。【００１０】  次に患者識別媒体（診察券）を１ｃのカードリーダで読み、その患者識別情報に含まれる患者識別番号（診察券番号）が登録済みのものであった場合、１ａの制御部はあらかじめ決められておいた識別シール、あるいは操作者が１ａ制御部内の１ａ１操作パネルで行う選択操作により選ばれた識別シールの印刷データが１ｂのインターフェース部を経由して２のシールプリンタに送られて識別シールが印刷される。【００１１】  図３に示すのは患者撮影画像と患者識別情報を印刷した写真付ＩＤシールの例である。各種の薬剤やボトルなどに貼ることを想定したものである。【００１２】  図４に示すのは患者撮影画像と患者識別情報の中の患者指名と患者識別番号（診察券番号）のみを印刷した写真シールであり、カルテなどに貼ることを想定したものである。【００１３】  図５に示すのは患者識別情報のみを印刷したＩＤシールで、汎用的に使用することを想定したものである。【００１４】  図６に示すのは患者識別情報と巻きつけの為のリーダー部を持つリストシールである。腕や足首などにガーゼを巻いてその上からこのリストシールを巻きつけて使用することを想定したものである。
【符号の説明】
【００１５】１    患者識別シール印刷装置本体
１ａ  制御部
１ａ１操作パネル
１ａ２撮像部（カメラ）
１ｂ  インターフェース部
１ｃ  カードリーダ
２    シールプリンタ
３    電源部（ＡＣアダプタ）
【図１】
0003195006.tif 000003
【図２】
0003195006.tif 000004
【図３】
0003195006.tif 000005
【図４】
0003195006.tif 000006
【図５】
0003195006.tif 000007
【図６】
0003195006.tif 000008
【手続補正書】
【提出日】平成26年10月3日(2014.10.3)
【手続補正１】
【補正対象書類名】図面
【補正対象項目名】図３
【補正方法】変更
【補正の内容】
【図３】
0003195006.tif 000009
【手続補正２】
【補正対象書類名】図面
【補正対象項目名】図４
【補正方法】変更
【補正の内容】
【図４】
0003195006.tif 000010
【手続補正３】
【補正対象書類名】図面
【補正対象項目名】図５
【補正方法】変更
【補正の内容】
【図５】
0003195006.tif 000011
【手続補正４】
【補正対象書類名】図面
【補正対象項目名】図６
【補正方法】変更
【補正の内容】
【図６】
0003195006.tif 000012